(57)【特許請求の範囲】
【請求項１】
左右方向での一端が左右方向へスライド可能なスライド部材と連結され、他端が所定の部材に固定されており、前記一端のスライドに伴い展開／折り畳み動作可能な屏風部材を備えた遊技機であって、
複数の矩形板部材を一辺同士が隣接する姿勢で左右方向へ並設するとともに、隣り合う前記矩形板部材同士を、前記一辺を軸とした軸周りで互いに回転可能に連結して前記屏風部材を形成し、前記連結箇所に、隣り合う前記矩形板部材を折り畳み方向へ付勢する付勢部材を取り付ける一方、
前記屏風部材の前方に、前記屏風部材が展開／折り畳み動作する際に、前記連結箇所の上端部が当接して、当該上端部の左右方向への移動を案内する案内壁を設けたことを特徴とする遊技機。
【請求項２】
前記屏風部材の前記一端の上部が、左右方向へスライド可能なスライド部材と連結されており、前記連結箇所の上端部に、前記付勢部材を取り付けたことを特徴とする請求項１に記載の遊技機。
【請求項３】
前記屏風部材における連結箇所のうち、前方へ山形に折り畳まれる連結箇所に前記付勢部材を取り付けたことを特徴とする請求項１又は２に記載の遊技機。
【発明の詳細な説明】
【技術分野】
【０００１】
本発明は、たとえばパチンコ機やスロットマシーン等といった遊技機に関するものである。
【背景技術】
【０００２】
従来、遊技機の一例であるパチンコ機としては、図柄表示部の少なくとも一部を前方から覆うように作動する遊技部材を設置してなるものがある。このような遊技部材は種々考案されており、たとえば特許文献１に記載のパチンコ機では、布からなる幕部材を屏風状に折り畳み、折り畳み方向での一方の端部を固定すると共に、他方の端部をレールに沿ってスライド可能に設けたカーテン装置を遊技部材として備えている。そして、他方の端部をスライドさせて幕部材を展開させたり折り畳んだりすることより、図柄表示部を幕部材によって覆ったり露出させたりといった演出を可能としている。
【先行技術文献】
【特許文献】
【０００３】
【特許文献１】特開２００９−２８５１１７号公報
【発明の概要】
【発明が解決しようとする課題】
【０００４】
上記特許文献１のカーテン装置では、図柄表示部を覆うように幕部材を展開させた際、外観上、幕部材の折り目がスライド方向で均等に表れることが望まれる。しかしながら、幕部材の片側の端部を引っ張って幕部材を展開させると、どうしても引っ張られる端部に近い箇所の折り目が延びてしまう一方、固定側は折り畳まれたままとなってしまい、展開／折り畳み動作時における見栄えが悪い上、展開動作終了後に折り目がスライド方向で均等に表れないという問題がある。また、布製の幕部材を用いると、繰り返しの展開／折り畳みにより当初の折り目通りに折り畳まれなくなるという問題がある。
【０００５】
そこで、本発明は、上記問題に鑑みなされたものであって、布からなる部材を用いることなく、屏風状に展開／折り畳み可能であるとともに、展開／折り畳み動作時の見栄えが良く、展開動作終了後に折り目が均等に表れる屏風部材を備えた遊技機を提供しようとするものである。
【課題を解決するための手段】
【０００６】
上記目的を達成するために、本発明のうち請求項１に記載の発明は、左右方向での一端が左右方向へスライド可能なスライド部材と連結され、他端が所定の部材に固定されており、前記一端のスライドに伴い展開／折り畳み動作可能な屏風部材を備えた遊技機であって、複数の矩形板部材を一辺同士が隣接する姿勢で左右方向へ並設するとともに、隣り合う前記矩形板部材同士を、前記一辺を軸とした軸周りで互いに回転可能に連結して前記屏風部材を形成し、前記連結箇所に、隣り合う前記矩形板部材を折り畳み方向へ付勢する付勢部材を取り付ける一方、前記屏風部材の前方に、前記屏風部材が展開／折り畳み動作する際に、前記連結箇所の上端部が当接して、当該上端部の左右方向への移動を案内する案内壁を設けたことを特徴とする。
請求項２に記載の発明は、請求項１に記載の発明において、前記屏風部材の前記一端の上部が、左右方向へスライド可能なスライド部材と連結されており、前記連結箇所の上端部に、前記付勢部材を取り付けたことを特徴とする。
請求項３に記載の発明は、請求項１又は２に記載の発明において、前記屏風部材における連結箇所のうち、前方へ山形に折り畳まれる連結箇所に前記付勢部材を取り付けたことを特徴とする。
【発明の効果】
【０００７】
本発明によれば、複数の矩形板部材を一辺同士が隣接する姿勢で左右方向へ並設するとともに、隣り合う矩形板部材同士を、一辺を軸とした軸周りで互いに回転可能に連結して屏風部材を形成している。したがって、布部材に折り目をつけて屏風状としていた従来の構造と比較すると、長期間にわたって繰り返し展開／折り畳みしたとしても、当初の折り目通りに折り畳まれなくなるといった問題が生じず、耐久性に優れている。
また、連結箇所に、隣り合う矩形板部材を折り畳み方向へ付勢する付勢部材を取り付けているため、展開／折り畳み動作時に矩形板部材同士の連結箇所が伸びきることなく屏風状に維持されたままとなり見栄えが良い上、展開動作終了後に、折り目、すなわち連結箇所をスライド方向で均等に表せることができる。
加えて、屏風部材の前方に、屏風部材が展開／折り畳み動作する際に、連結箇所の上端部が当接して、当該上端部の左右方向への移動を案内する案内壁を設けているため、当該上端部が折り畳まれすぎることなく、屏風部材をスムーズに展開／折り畳み動作させることができる。
さらに、請求項２に記載の発明によれば、屏風部材の一端の上部が、左右方向へスライド可能なスライド部材と連結されており、連結箇所の上端部に、付勢部材を取り付けているため、展開／折り畳み時に負荷がかかりやすい箇所を付勢部材により付勢することができ、一層好適に矩形板部材同士の連結状態を屏風状に維持することができる。
さらにまた、請求項３に記載の発明によれば、屏風部材における連結箇所のうち、前方へ山形に折り畳まれる連結箇所に付勢部材を取り付けているため、屏風部材を展開した際に、特に山形の連結箇所を確実に山形のまま維持することができ、屏風部材を展開した際の外観が非常に良い。
【図面の簡単な説明】
【０００８】
【図１】パチンコ機を前面側から示した説明図である。
【図２】遊技盤を前面側から示した説明図である。
【図３】パチンコ機を後面側から示した説明図である。
【図４】センターカバーの内部を示した説明図である。
【図５】屏風部材が折り畳まれた状態にある第１ユニットを正面側から示した説明図である。
【図６】屏風部材が展開された状態にある遊技部材を正面側から示した説明図である。
【図７】遊技部材を分解した状態を示した斜視説明図である。
【図８】図６中のＡ−Ａ線断面を示した説明図である。
【発明を実施するための形態】
【０００９】
以下、本発明の一実施形態となるパチンコ機について、図面にもとづき詳細に説明する。
【００１０】
（パチンコ機全体の説明）
図１は、パチンコ機１を前面側から示した説明図である。また、図２は、遊技盤２を前面側から示した説明図である。さらに、図３は、パチンコ機１を後面側から示した説明図であり、図４は、センターカバー２１の内部を示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を嵌め込み設置してなる前扉４が、左端縁を軸として片開き可能に機枠３に蝶着されており、該前扉４によって閉塞される遊技盤２の前方空間が遊技領域１６とされている。
【００１１】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字や絵柄等からなる「図柄」を表示するための図柄表示部６が設けられている。さらに、図柄表示部６を囲むようにセンター部材２５が遊技盤２に設置されており、該センター部材２５には、図柄表示部６における演出等に関連して作動し、図柄表示部６の略全域を被覆したり露出させたりする遊技部材２６（図６に示す）が設けられている。加えて、遊技領域１６には、一対の爪片を開閉動作可能に備えたチューリップ式電動役物１７、開閉可能な扉部材を有する大入賞装置１８、風車１９や多数の遊技釘等が設置されている。
【００１２】
また、機枠３の前面側であって上記遊技盤２の下方には、遊技球を発射装置１０へ供給するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させるためのハンドル９が回動操作可能に設置されている。
さらに、前扉４の上部には、効果音や各種メッセージ等を報音する一対のスピーカ１４、１４が設けられており、前扉４の側部には、パチンコ機１の遊技状態等に応じて点灯・点滅する複数のＬＥＤを備えたランプ部材１５、１５が設けられている。
【００１３】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、図柄表示部６に「図柄」を表示させるための液晶表示装置（図示せず）、遊技に係る主たる制御（たとえば、所謂「大当たり抽選」等）を実行するためのメイン制御装置２０、図柄表示部６における表示動作等を制御する表示制御装置３０、及び払出装置１２や表示制御装置３０、スピーカ１４やランプ部材１５等の動作を統合的に制御するサブ制御装置２２等が設置されている。尚、３１は、パチンコ機１をトランスに接続するためのプラグであり、３２は、アースである。
【００１４】
以上のようなパチンコ機１では、遊技者によってハンドル９が回動操作されると、発射装置１０が作動して遊技球が遊技領域１６内へ打ち込まれる。そして、遊技領域１６内を流下する遊技球がチューリップ式電動役物１７へ入賞すると、メイン制御装置２０にて「大当たり抽選」を行い、所謂「大当たり」である場合には、図柄表示部６に「図柄」を所定態様（たとえば、「７、７、７」等）で表示させた後、大入賞装置１８の扉部材を所定回数にわたって断続的に開成させるといった所謂「大当たり状態」を生起させる。また、「大当たり状態」を生起させるまでの演出（たとえばリーチ演出）時には、遊技部材２６を作動させ、遊技者に「大当たり状態」生起の期待感を抱かせる。
【００１５】
（遊技部材の説明）
ここで、本発明の要部となる遊技部材２６について、図５〜図８にもとづき詳細に説明する。
図５は、屏風部材４５が折り畳まれた状態にある第１ユニット３５を正面側から示した説明図であり、図６は、屏風部材４５が展開された状態にある遊技部材２６を正面側から示した説明図である。図７は、遊技部材２６を分解した状態を示した斜視説明図であり、図８は、図６中のＡ−Ａ線断面を示した説明図である。尚、遊技部材２６を構成する各部材の前後左右方向については、遊技盤２への取付姿勢を基準として説明する。
【００１６】
センター部材２５は、遊技部材２６等を有する第１ユニット３５と、第２移動部材３７を有する第２ユニット３６とからなり、第１ユニット３５の前方へ第２ユニット３６を組み付けて構成される。第１ユニット３５は、図柄表示部６を露出させるための窓として機能する大開口３８を中央に有する枠状の本体３９を有しており、該本体３９の前面に遊技部材２６や第１移動部材４０、装飾部材４１等を組み付けて構成される。第１移動部材４０は、本体３９の右下隅部に設けられており、遊技者が前面側から見た際に所定の文字を認識することができるブロック体４２と、ブロック体４２をスライドさせる駆動機構４３とからなる。そして、メイン制御装置２０による制御のもと図柄表示部６での演出等にあわせて駆動機構４３が作動し、ブロック体４２を、図５に示す退避位置から図柄表示部６の前方に重なる進出位置にかけてスライドさせるようになっている。また、装飾部材４１は、本体３９の下部に設けられており、図示しないＬＥＤや該ＬＥＤの発光を屈折させて前方へ誘導するミラー部材４４等を備えてなる。そして、第１移動部材４０と同様、メイン制御装置２０による制御のもと図柄表示部６での演出等にあわせてＬＥＤが発光するようになっている。また、該装飾部材４１は、後述する遊技部材２６のガイド機構４７、４７を遊技者から見えないように被覆するカバーとしての機能も有している。
【００１７】
一方、遊技部材２６は、本体３９の左右両側部に設けられ、左右方向へのスライドにより図柄表示部６を被覆／露出させる一対の屏風部材４５、４５と、本体３９の上部に設けられ、屏風部材４５、４５をスライドさせるスライド機構４６、４６と、本体３９の下部で装飾部材４１の後方に設けられ、屏風部材４５、４５の下端を案内するガイド機構４７、４７とからなり、本体３９の右側の屏風部材４５、スライド機構４６、及びガイド機構４７で一組、左側の屏風部材４５、スライド機構４６、及びガイド機構４７でもう一組となっている。そして、屏風部材４５、スライド機構４６、及びガイド機構４７は組毎に左右対称形状となっており、以下、右側の組について説明する。尚、屏風部材４５、スライド機構４６、及びガイド機構４７は、金属製のフレーム部材５９を介して本体３９に設置されている。
【００１８】
屏風部材４５は、上下方向に長尺な矩形に形成され、且つ、略同じ寸法とされた合成樹脂製の４枚の板部材４８ａ、４８ｂ、４８ｃ、４８ｄを左右方向へ並設し、隣り合う板部材同士を屏風状に連結してなる。つまり、隣り合う板部材同士は、上隅部及び下隅部同士が夫々蝶着されており、長尺な一辺同士が隣接した状態で、且つ、その隣接した一辺を軸として一方の板部材が他方の板部材に対して相対的に回動可能となっている。また、最も右端にある板部材４８ａの右上隅部及び右下隅部には、屏風部材４５をスライド機構４６やガイド機構４７に軸着するための軸着部４９、４９が上下方向へ突設されている。さらに、板部材４８ｂと板部材４８ｃとの連結箇所には、スライド機構４６やガイド機構４７に案内されるための案内ころ５０、５０が上下方向を軸として回転可能に取り付けられている。加えて、板部材４８ｄの左上隅部には、スライド機構４６内のロッド５３に連結される筒状のスライド体５１が取り付けられており、板部材４８ｄの左下隅部には、ガイド機構４７に案内されるための上記同様の案内ころ５０が上下方向を軸として回転可能に取り付けられている。
【００１９】
そして、上記屏風部材４５は、軸着部４９、案内ころ５０、及びスライド体５１が略同一の鉛直平面内に位置するようにスライド機構４６及びガイド機構４７に支持されている。このとき、板部材４８ａと板部材４８ｂとの連結箇所、及び板部材４８ｃと板部材４８ｄとの連結箇所が上記鉛直平面よりも前方に位置されることにより、板部材４８ａと板部材４８ｂとの連結箇所、板部材４８ｂと板部材４８ｃとの連結箇所、及び板部材４８ｃと板部材４８ｄとの連結箇所が前後交互に位置することになる。すなわち、屏風部材４５は、板部材４８ａと板部材４８ｂとの連結箇所、及び板部材４８ｃと板部材４８ｄとの連結箇所が前方へ山形に折れ曲がり、板部材４８ｂと板部材４８ｃとの連結箇所が後方へ谷形に折れ曲がった状態でスライド機構４６及びガイド機構４７に支持されることになる。また、板部材４８ａと板部材４８ｂとの連結箇所、及び板部材４８ｃと板部材４８ｄとの連結箇所の上端部には、山形に折れ曲がる方向（折り畳み方向）へ各板部材を付勢するバネ部材５２が取り付けられている（すなわち、板部材同士の連結箇所は、スライド機構４６やガイド機構４７に拘束される箇所と、それらに拘束されず前後方向へ移動可能な箇所とが交互に設けられた状態となっており、スライド機構４６やガイド機構４７に拘束されない箇所にバネ部材５２が取り付けられている）。そして、スライド体５１のスライドに伴い、程度（前方への突出高さ）は変化するものの山形であるか谷形であるかに関しては上記状態を維持したまま、図５に示す如く折り畳まれたり、図６に示す如く展開可能となっている。尚、板部材４８ａと板部材４８ｂとの連結箇所、及び板部材４８ｃと板部材４８ｄとの連結箇所が伸びきらないように、スライド体５１のスライド範囲は、板部材４８ａ〜４８ｄの全左右長さよりも短く制限されている。
【００２０】
スライド機構４６は、屏風部材４５の上縁を支持するとともに、屏風部材４５を展開／折り畳みさせるものであって、ケーシング部材５８の内部には、スライド体５１がスライド可能に取り付けられるロッド５３が左右方向に延設されている。また、ロッド５３の前方には、所定間隔でギア５６とプーリ５７とが設けられており、該ギア５６、プーリ５７間をベルト部材５４が左右方向へ回動可能に架設されているとともに、ギア５６を回転させてベルト部材５４を回動させるためのモータ５５が設置されている。そして、スライド体５１は、その一部がベルト部材５４と噛合しており、ベルト部材５４の回動に伴い、ロッド５３に沿って左右方向へスライド可能となっている。さらに、ケーシング部材５８の下面には、上側の軸着部４９が軸着される図示しない軸孔が形成されているとともに、案内ころ５０が係止したり、スライド体５１と板部材４８ｄとの連結箇所を挿通させるための左右方向へ長い案内溝（図示せず）が設けられている。加えて、ケーシング部材５８の前部には、下方へ向けて突設された案内壁６０が設けられており、屏風部材４５の展開／折り畳み動作時に、前方へ山形に突出する板部材４８ｃと板部材４８ｄとの連結箇所が案内壁６０の後面に当接し、当該連結箇所が折り畳まれすぎることなくスムーズに展開／折り畳み動作するように案内可能となっている。尚、案内壁６０は、摺動性の高い合成樹脂（たとえばポリアセタール）により形成されている。
【００２１】
ガイド機構４７は、屏風部材４５の下縁を支持するとともに、屏風部材４５が展開／折り畳みする際に下縁を案内するためのものであって、ケーシング部材の上面には、案内ころ５０、５０が嵌入可能なガイド溝６１が左右方向へ刻設されている。また、ガイド機構４７の右端には、下側の軸着部４９を軸着可能な軸孔６２が穿設されている。
【００２２】
（本発明の作用及び効果）
以上のように構成される遊技部材２６を有するパチンコ機１では、モータ５５、５５が駆動しベルト部材５４、５４が回動すると、当該動作に伴いスライド体５１、５１がロッド５３、５３に沿って左右方向へスライドする。そして、スライド体５１、５１のスライドに伴い、屏風部材４５、４５が展開／折り畳み動作することになる。その際、たとえば展開時においては、スライド体５１が取り付けられている板部材４８ｄが引っ張られるため、従来の構造によると板部材４８ｄと板部材４８ｃとの連結箇所が伸びきった状態となった後に板部材４８ｃが動き始めるといった動作をとる上、展開動作終了後に折り目（連結箇所）がスライド方向で均等に表れないといった状況も起こり得る。しかしながら、本実施形態の構造によれば、バネ部材５２が板部材４８ｃと板部材４８ｄとの連結箇所を折り畳み方向へ付勢している。したがって、当該連結箇所が伸びきることなく板部材４８ｃが動き始める、すなわち連結箇所における折り目が維持されたままスライドするため、展開／折り畳み動作時における見栄えが良いし、展開動作終了後において折り目がスライド方向において均等に表れやすい。尚、板部材同士の連結箇所のうち、山形に折れ曲がる箇所にバネ部材５２を取り付けているため、屏風部材４５、４５を展開した際に、特に山形の連結箇所を確実に山形のまま維持することができ、屏風部材４５展開時の外観が非常に良い。
【００２３】
また、折り畳み時には、従来の構造によれば展開時に連結箇所が伸びきった状態になっていたりすると、本来山形に折り畳まれなければならない連結箇所が谷形に折り畳まれようとし、動作不良をきたすというおそれがある。しかしながら、本実施形態の遊技部材２６によれば、バネ部材５２により山形の連結箇所はそのまま山形に維持されるため、スムーズに折り畳まれることになり、上述したような動作不良をきたすおそれがない。
さらに、合成樹脂製の板部材４８ａ〜４８ｄを、一辺同士が隣接する姿勢で左右方向へ並設するとともに、隣り合う板部材同士を、一辺を軸とした軸周りで互いに回転可能に連結して屏風部材４５を形成している。したがって、布部材に折り目をつけて屏風状としていた従来の構造と比較すると、長期間にわたって繰り返し展開／折り畳みしたとしても、折り目通りに折り畳まれなくなるといった問題が生じず、耐久性に優れている。
【００２４】
さらにまた、スライド体５１が取り付けられている側、すなわち連結箇所の上端部にバネ部材５２を取り付けているため、展開／折り畳み時に負荷がかかりやすい箇所をバネ部材５２により付勢することができ、少ない部品点数で好適に板部材４８ａ〜４８ｄの連結状態を屏風状に維持することができる。
またさらに、スライド体５１のスライド範囲を、板部材４８ａ〜４８ｄの全左右長さよりも短く制限しているため、屏風部材４５を展開した際に板部材同士の連結箇所が伸びきってしまうことがない。したがって、連結箇所が伸びきって外観が損われてしまったり、折り畳み動作時に板部材同士が突っ張ってスムーズに作動できなくなる等といった事態の発生を防止することができる。
加えて、屏風部材４５の前方に案内壁６０を突設させており、展開／折り畳み動作時に、前方へ山形に突出する板部材４８ｃと板部材４８ｄとの連結箇所を案内壁６０の後面に当接させるように構成している。したがって、当該連結箇所が折り畳まれすぎることなく、屏風部材４５をスムーズに展開／折り畳み動作させることができる。
【００２５】
（本発明の変更例）
なお、本発明の遊技機に係る構成は、上記実施形態に何ら限定されるものではなく、遊技機の全体的な構成は勿論のこと、遊技部材の構成やバネ部材の数、取付位置等についても、本発明の趣旨を逸脱しない範囲で必要に応じて適宜変更可能である。
【００２６】
たとえば、上記実施形態では、板部材４８ａと板部材４８ｂとの連結箇所、及び板部材４８ｃと板部材４８ｄとの連結箇所にバネ部材５２を取り付けているが、板部材４８ｂと板部材４８ｃとの連結箇所についても、該連結箇所が谷形に折れ曲がる方向へ各板部材を付勢するようなバネ部材を取り付けてもよい。また、各連結箇所における上側ではなく、下側にバネ部材５２を取り付けてもよいし、上下両側にバネ部材５２を取り付けてもよく、バネ部材の５２の数や取付位置については上記実施形態の構成に何ら限定されることはない。
さらに、上記実施形態では、屏風部材４５が左右方向へ展開／折り畳み動作するように取り付けられているが、上下方向へ展開／折り畳み動作するように屏風部材４５を設けることも当然可能であるし、左右に一対の屏風部材４５を設けるのではなく、左右何れか一方にのみ屏風部材４５を設けて遊技部材２６を構成してもよいし、１つの屏風部材４５における板部材の数についても上記実施形態の４枚に何ら限定されることはない。
【００２７】
また、スライド機構についても、ベルト部材５４等を用いず、たとえば周面にネジ溝が刻まれたロッドにスライド体を螺合させておき、ロッドを回転させることによりスライド体をロッドに沿ってスライドさせるような構成を採用してもよい。
加えて、上記実施形態では、遊技機の一例であるパチンコ機について説明しているが、屏風部材を備えた遊技部材をスロットマシーン等の他の遊技機に適用しても何ら問題はない。
【符号の説明】
【００２８】
１・・パチンコ機、６・・図柄表示部、２６・・遊技部材、３５・・第１ユニット、３８・・大開口、３９・・本体、４５・・屏風部材、４６・・スライド機構、４７・・ガイド機構、４８・・板部材（矩形板部材）、４９・・軸着部、５０・・案内ころ、５１・・スライド体、５２・・バネ部材（付勢部材）、５３・・ロッド、５４・・ベルト部材、５５・モータ、５６・・ギア、５７・・プーリ、５８・・ケーシング部材、５９・・フレーム部材、６０・・案内壁、６１・・ガイド溝、６２・・軸孔。
【図１】
0005771805.tif 000002
【図２】
0005771805.tif 000003
【図３】
0005771805.tif 000004
【図４】
0005771805.tif 000005
【図５】
0005771805.tif 000006
【図６】
0005771805.tif 000007
【図７】
0005771805.tif 000008
【図８】
0005771805.tif 000009